(57)【特許請求の範囲】
【請求項１】
内枠の前面に開閉自在に設けられる扉体と該扉体の前面に装着される球受皿とを備え、前記球受皿は遊技球を貯留する皿部と該皿部の前面を覆う球皿カバーとを有すると共にこれらが分離可能に設けられ、前記球皿カバーの内周面に後端面を取付面とした支持突部を設けると共に該支持突部の取付面に該取付面と平行な面内で自在に回動する係止部材を軸着し、前記扉体には前記係止部材が挿通し得る係止孔を開設し、前記係止部材は前記係止孔に挿通され前記扉体の後側で回動したとき該係止孔の周縁から食み出るように形成され、前記扉体の前側から前記係止孔へ前記係止部材を挿通すると共に該扉体の後側で該係止部材を回動して該係止部材を該係止孔に係止させることにより、前記球皿カバーが前記扉体に着脱自在に取り付けられるようにし、
前記係止部材の基端面と、前記基端面と対向位置する前記扉体の後面に、前記係止部材を回動させることにより互いに係脱自在に係合する凸部または凹部を設けてなり、前記扉体の後面に設けられた前記凸部または凹部は、前記係止孔に挿通して回動した前記係止部材が該係止孔と十文字状に交差する位置に設けられているパチンコ遊技機であって、
前記係止部材の基端面の凸部または凹部と対向位置する前記支持突部の取付面に、前記係止部材を前記取付面と平行な面内で自在に回動させることにより前記係止部材の凸部または凹部と互いに係脱自在に係合する凸部または凹部を設け、
前記支持突部の取付面に設けられた前記凸部または凹部と前記係止部材の凸部または凹部とを係合させて前記球皿カバーを前記扉体前面の取付部位に配置するとき、前記係止部材はその向きが前記扉体の係止孔の向きと一致し該係止孔にそのまま挿通できるように位置していることを特徴とするパチンコ遊技機。
【発明の詳細な説明】
【技術分野】
【０００１】
本発明は、球受皿を構成する球皿カバーを、パチンコ遊技機の前面の扉体に着脱自在に取り付けられるようにしたパチンコ遊技機に関するものである。
【背景技術】
【０００２】
一般に、パチンコ遊技機の前面下部には、打球発射位置へ供給される遊技球であるパチンコ球を貯留する上部球受皿や、該上部球受皿から球抜操作により排出されたパチンコ球および上部球受皿から溢れる余剰のパチンコ球を貯留する下部球受皿が設けられる。これら上部球受皿や下部球受皿といった球受皿は、皿部と球皿カバーとが分離されており、これらを組み合わせて構成されている。例えば特許文献１に示す上部球受皿は、主として皿部と球皿カバーとこれらを取り付ける裏板とから構成され、裏板の後側から球皿カバーにネジを螺締して一体に組み立てられる。そして、この上部球受皿は、パチンコ遊技機の下部前面にその一側を軸着するようにして開閉自在に装着される。
【特許文献１】特開平９−１９２３２０号公報（段落００１５、００２８、図３）
【発明の開示】
【発明が解決しようとする課題】
【０００３】
ところで、遊技盤中央に可変表示装置を備えたパチンコ遊技機にあっては、遊技の演出効果を高めるために演出ボタンやチャンスボタンと呼ばれる押しボタン等の付属部品を設けたものがある。この付属部品である押しボタンは、遊技中に遊技者が手で押し易いようにするため、球受皿に組み込まれることが多い。そして、遊技中には遊技者が遊技に熱中する余り、その遊技状態によって頻繁にしかも叩くように押すことから、押しボタンが故障したり破損する可能性が高い。このため、定期的な修理や交換等の保守管理を必要とされる。しかしながら、前記押しボタンを修理、交換するためには、その都度、ドライバーといった工具を用いて多くのビスを取り外したり取り付けたりして球皿カバーを脱着しなければならず、その保守作業は面倒であって多くの手間と時間が掛かり、作業性が悪いという課題が有った。
【０００４】
そこで、本発明は上記課題を解決すべくなされたもので、ドライバーといった工具を使用することなく、球皿カバーをワンタッチ式に脱着できるようにして、押しボタン等の付属部品の保守作業の作業性を向上するようにしたパチンコ遊技機を提供することを目的とするものである。
【課題を解決するための手段】
【０００５】
かかる目的を達成するため本発明に係るパチンコ遊技機は、内枠の前面に開閉自在に設けられる扉体と、前記扉体の前面に装着される球受皿とを備え、前記球受皿は遊技球を貯留する皿部と該皿部の前面を覆う球皿カバーとを有すると共にこれらが分離可能に設けられているパチンコ遊技機であって、前記球皿カバーの内周面に後端面を取付面とした支持突部を設けると共に該支持突部の取付面に該取付面と平行な面内で自在に回動する係止部材を軸着し、前記扉体には前記係止部材が挿通し得る係止孔を開設し、前記係止部材は前記係止孔に挿通され前記扉体の後側で回動したとき該係止孔の周縁から食み出るように形成され、前記扉体の前側から前記係止孔へ前記係止部材を挿通すると共に該扉体の後側で該係止部材を回動して該係止部材を該係止孔に係止させることにより、前記球皿カバーが前記扉体に着脱自在に取り付けられるようにしたことを特徴とする。
【０００６】
この際、前記係止部材の基端面と、前記基端面と対向位置する前記扉体の後面に、前記係止部材を回動させることにより互いに係脱自在に係合する凸部または凹部を設けてなり、前記扉体の後面に設けられた前記凸部または凹部は、前記係止孔に挿通して回動した前記係止部材が該係止孔と十文字状に交差する位置に設けられていることが好ましい。
【０００７】
また、前記係止部材の基端面の凸部または凹部と対向位置する前記支持突部の取付面に、前記係止部材を回動させることにより互いに係脱自在に係合する凸部または凹部を設けてなり、前記支持突部の取付面に設けられた前記凸部または凹部は、前記球皿カバーを前記扉体前面の取付部位に配置するとき、前記係止部材が前記扉体の係止孔にそのまま挿通できるように該係止孔と同じ向きとなる位置に設けられていることが好ましい。
【発明の効果】
【０００８】
本発明に係るパチンコ遊技機では、扉体に開設された係止孔にその前側から係止部材を挿通して回転するというワンタッチ式の簡単な操作により球受皿の球皿カバーが扉体の前面に取り付けまたは取り外しできるようになる。よって、球受皿に組み込まれる押しボタン等の付属部品の保守作業が簡単になり、手間や多くの時間も掛からず、これら保守作業の作業性の向上が図られるという効果を有する。
【０００９】
また、球皿カバーは扉体に取り付けられることから、球受皿を構成する皿部に球皿カバーのための取付部を設ける必要がなくなる。よって、皿部に球皿カバーのための取付部を設けることにより、押しボタン等の付属部品の設置スペースが圧迫され狭くなる危険性が少なく、付属部品の設置に苦慮することがなくなる。更に、前記のように皿部に球皿カバーのための取付部を設ける必要性がないことから、皿部の形状が簡素化されその設計・製作が容易になる。
【００１０】
更に、本発明に係るパチンコ遊技機では、係止部材の基端面と扉体の後面に設けられた凸部と凹部を嵌合させるようにしたので、係止部材が係止孔と十文字状に交差し、外れることなくしっかりと保持される。しかも、目で見なくても手探りで凹部と凸部との嵌合ができ、パチンコホールといったパチンコ遊技機が列設される狭い場所でも、透明板保持枠を大きく開けることなく保守作業ができ至便である。
【００１１】
更にまた、本発明に係るパチンコ遊技機では、係止部材の基端面と支持突部の取付面に設けられた凸部と凹部が係合した状態で、係止部材がしっかりと保持される。そして、球皿カバーを扉体前面の取付部位に配置するとき、係止部材が係止孔と同じ向きを向くことから、該係止部材が扉体の係止孔にそのまま挿通できるようになる。よって、球皿カバーの取り付けが容易になるばかりか、扉体の前面に球皿カバーを取り付ける際に、係止部材が扉体の前面に当たって該係止部材が破損するといった危険性もほとんどない。
【発明を実施するための最良の形態】
【００１２】
以下、本発明のパチンコ遊技機の実施形態を図面に従って説明する。このパチンコ遊技機は、プリペイドカードを使用して遊技をするタイプのもので、パチンコ遊技機間にカード式球貸装置（図示せず。）が配設される。図１は本発明に係るパチンコ遊技機の外観斜視図、図２は後側から見た透明板保持枠の斜視図、また、図３は球皿カバーと操作パネルを分解して示す前から見た透明板保持枠の斜視図である。先ず、パチンコ遊技機Ｐの構成を説明する。縦長長方形状に枠組みされた外枠１の前面に、該外枠１の一側に設けたヒンジ機構２を介して内枠３が開閉自在に軸着される。該内枠３には、図柄を変動表示する可変表示装置４や遊技球の入賞により該可変表示装置４を作動させる始動入賞口５等の盤面部品が装着された遊技盤６が配設されている。内枠３の前面に、扉体としての透明板保持枠７とその下方に位置して同じく扉体としての前板８とが、内枠３の一側に設けたヒンジ機構９により其々独立して開閉自在に軸支される。
【００１３】
前記透明板保持枠７の中央に、遊技盤６の前面が臨む略円形状の開口７ａが形成される。該開口７ａを囲うようにしてその前面に装飾部材１０が設けられ、装飾効果を高めるようにしている。前記開口７ａにガラス製または合成樹脂製の透明板１１が嵌め込まれ、前記遊技盤６前面の遊技部が該透明板１１を通して視認できるようになっている。そして、透明板保持枠７の前面下部に、球受皿としての上部球受皿１２が装着される。また、前板８の前面に球受皿としての下部球受皿１３が装着され、この下部球受皿１３の一側方に操作ハンドル１４が設けられる。
【００１４】
前記上部球受皿１２は、透明板保持枠７の前面に例えばビス締めにより固着され遊技球を貯留する皿部１５と、該皿部１５の前面を覆うようにして透明板保持枠７の前面に着脱自在に取り付けられる球皿カバー１６とを有し、これらは分離可能に設けられる。また、皿部１５の上面一側すなわち操作ハンドル１４側に、後記する付属部品としての演出ボタン２３や球貸操作板２４を備えた付属部品としての操作パネル１７が配置される。該操作パネル１７は、球皿カバー１６の上端内縁と透明板保持枠７の前面との間で挟まれ、前端縁が球皿カバー１６の上端縁に掛かり、透明板保持枠７から球皿カバー１６を取り外さない限り取り外せないようになっている。
【００１５】
前記皿部１５には、底壁１８ａの後端側を残してその周縁に、その周囲を囲うようにして立壁１８ｂが立設されている。底壁１８ａの上面は操作ハンドル１４側へ緩やかに下傾し、その下流側に遊技球を一列に整列させて流下させる整流部１９が設けられる。そして、その流下端であって透明板保持枠７の後面に、遊技球を一個ずつ打球発射位置（図示せず。）に供給する打球供給装置２０が設けられている。透明板保持枠７に、皿部１５と連通する球排出口２１が開設される。図示は省略するが、該球排出口２１はパチンコ遊技機Ｐの裏側に配置される球払出装置と球払出樋を介して連通している。
【００１６】
そこで、例えば、遊技するために貸し出されたり入賞球の発生により払い出される遊技球としての貸球または賞球は、前記球払出装置から球払出樋に排出され、前記球排出口２１を介して皿部１５に貯留される。貯留された遊技球は、下流側へ流下すると共に打球供給装置２０を介して打球発射位置へ供給される。球皿カバー１６の内側でありかつ操作パネル１７の下方に位置して透明板保持枠７の前面に、皿部１５に貯留された遊技球を球抜きするための球抜装置２２が配置される。該球抜装置２２には、その一側に前側から押動することにより水平面内で回動する回動レバー２２ａが設けられる。該回動レバー２２ａは、スプリング等の適宜付勢手段により前方へ付勢され、常態では前側を向いて停止している。そして、該回動レバー２２ａを押すことにより、前記皿部１５における整流部１９の底面の一部が開口して球抜きできるようになっている。
【００１７】
前記操作パネル１７には、その上面に押しボタン式の演出ボタン２３と球貸操作板２４とが取り付けられる。演出ボタン２３は、操作パネル１７に開設された取付孔２５に該操作パネル１７の表側から嵌入し、該操作パネル１７の裏側にて演出ボタン２３の外周面に環状の固定具２６を嵌めて係合することにより固定される。球貸操作板２４は、球貸ボタン２７と返却ボタン２８と残高表示部２９とを備えたプリント配線板３０からなる。前記プリント配線板３０は前記カード式球貸装置に電気的に接続され、球貸ボタン２７を押すことにより所定数の遊技球が球排出口２１を介して皿部１５に排出され、返却ボタン２８を押すことによりカード式球貸装置に挿入されたプリペイドカードの返却が行なわれる。また、プリペイドカードの残り度数は、残高表示部２９に数値で表示されるようになっている。
【００１８】
次に、球皿カバーについて説明する。図４は後側から見た球皿カバーの斜視図、図５は球皿カバーの平面図、図６は底面側から見た係止部材の斜視図である。球皿カバー１６は、前面が前側へ膨出した湾曲状に形成され、上面が開放すると共にその上端縁に内側へ屈曲するリブ片３１が周設される。また、球皿カバー１６の後面も開放される。透明板保持枠７の前面に取り付けられる関係上、球皿カバー１６の後端縁はほぼ一直線上に形成される。球皿カバー１６の内周壁面であって特に上端縁のリブ片３１の下方に、少しの隙間を離して複数の補強リブ３２が列設されている。この隙間に、前記操作パネル１７の前端縁が嵌まり込むことになる。そして、球皿カバー１６の同じく内周壁面の両側寄りと中央下部の３個所に、それぞれ後方へ向かって延びる支持突部３３が設けられている。
【００１９】
前記各支持突部３３は前後方向から見た断面が略長方形状に形成され、それぞれ後端面を取付面３３ａとしている。各支持突部３３の取付面３３ａには、その中央に後方へ突出しかつ後端面に螺子孔３４を有する支軸３５が設けられる。また、該支軸３５の両側に該支軸３５から等間隔に位置して、取付面３３ａを一部高くした座部３３ｂ，３３ｂが突設され、これら座部３３ｂ，３３ｂの後面である取付面３３ａに半球状に窪んだ凹部３６が設けられる。各支軸３５に、球皿カバー１６を透明板保持枠７の前面に取り付けるための係止部材３７が軸着される。係止部材３７は、両端面が開放して前記支軸３５に遊嵌する短筒３７ａを有する。該短筒３７ａはその軸方向の長さが支軸３５とほぼ同じ寸法に設定される。また、その外周面には、一対の指掛片３７ｂ，３７ｂが短筒３７ａの中心線を含む面内に位置しかつ短筒３７ａの両側に対応位置して突設される。各指掛片３７ｂは、短筒３７ａの先端側から外側へ突出し、指先で摘み易くなっている。両指掛片３７ｂ，３７ｂの基端縁に、支持突部３３の取付面３３ａと平行に位置する基端板３７ｃ，３７ｃが設けられ、各基端板３７ｃの外面（基端面）３７ｄに前記凹部３６に嵌脱自在に嵌合し得る半球状の凸部３８が設けられる。
【００２０】
そして、短筒３７ａに支軸３５を挿通し、該支軸３５の後端面に設けられた螺子孔３４にワッシャ３９を介して螺子４０を螺締することにより、支持突部３３の取付面３３ａに係止部材３７が軸着される。該係止部材３７は取付面３３ａと平行な面内で自在に回動することになるが、両凸部３８が両凹部３６に嵌合したときは係止部材３７が停止し、その状態では該係止部材３７がしっかりと保持される。すなわち、この状態で各係止部材３７を後側から見た場合、各係止部材３７は各支持突部３３の取付面３３ａの外周縁輪郭内に納まり、その外側へ食み出ることはない。
【００２１】
また、球皿カバー１６における両側寄りの支持突部３３（３３１），３３（３３１）は、共に後側から見た取付面３３ａが縦長となるように配置される。一方、中央下部の支持突部３３（３３２）にあっては、後側から見た取付面３３ａが横長となるように配置される。これは、これら支持突部３３と対応位置して前記透明板保持枠７の下部に開設され、各係止部材３７を挿通して係止する係止孔４１の向きと一致させるためである。すなわち、透明板保持枠７の両側寄りの係止孔４１（４１１），４１（４１１）は縦長に形成され、中央下部の係止孔４１（４１２）は横長に形成されている。詳しくは、各係止孔４１の中央部は、係止部材３７の短筒３７ａに合わせて係止孔４１の短手方向の幅よりも少し長い直径を有する円形状に形成される。
【００２２】
図７（イ）に示すように、短筒３７ａ、指掛片３７ｂを含め係止部材３７をその軸方向から投影した投影形状ａは、前記係止孔４１の形状より一回り小さく形成されている。これにより、各支持突部３３の取付面３３ａに設けられた両凹部３６，３６に、基端板３７ｃ，３７ｃの外面３７ｄに設けられた両凸部３８，３８が嵌合した状態では、各係止部材３７がいずれも透明板保持枠７の各係止孔４１の向きと一致する。よって、各係止部材３７の向きをいちいち調節しなくても、透明板保持枠７における前面下部の所定位置に前記球皿カバー１６を配置するのみで、各係止部材３７がそのまま各係止孔４１に挿通され、その後側に位置するようになる。
【００２３】
透明板保持枠７の後面であって、前記各係止孔４１の中央部の両側に対向位置して凹部４２，４２が設けられている。前記各係止孔４１に挿通されその後側に突出した各係止部材３７を回動させ、各係止部材３７が各係止孔４１に対して十文字状に交差する位置に来たとき、各係止部材３７の両凸部３８，３８が両凹部４２，４２に嵌脱自在に嵌合し、各係止部材３７がその状態でしっかりと保持される。
【００２４】
球皿カバー１６の一側（操作ハンドル側）の外側面に、球抜用の操作ボタン４３が装着される。該操作ボタン４３は前後方向へ摺動し出没自在に設けられ、その後面に後方へ突出する操作杆４４が設けられる。該操作杆４４の後端は、前記球抜装置２２の回動レバー２２ａと対向位置しており、操作ボタン４３を前側から押動することによって、操作杆４４の後端が後方へ移動して回動レバー２２ａをその付勢に抗して後方へ回動させる。これにより、整流部１９における底面の一部が開放されて、皿部１５に貯留された遊技球の球抜きが行なわれる。球抜きが終わった後に操作ボタン４３から指を離せば、該操作ボタン４３はその付勢により元の位置に復帰することになる。
【００２５】
本発明に係るパチンコ遊技機Ｐは上記構成からなり、次にその作用について説明する。例えば、操作パネル１７の演出ボタン２３が破損して新しいものと交換する場合は、透明板保持枠７を開放して該透明板保持枠７の裏側に手を差込む。そして、透明板保持枠７の裏面に設けられた各係止部材３７を回動させ、両凹部４２から両突部３８を外し、図７（イ）（ロ）の実線に示すように各係止部材３７を各係合孔４１から抜くことができるように向きを一致させておく。この状態で、球皿カバー１６をそのまま前側へ引けば、各係止部材３７が各係止孔４１から抜けて球皿カバー１６が外せ、同時に操作パネル１７も開放されて取り外せるようになる。そこで、操作パネル１７から演出ボタン２３を外して新しいものと交換する。
【００２６】
新しい演出ボタン２３に交換した操作パネル１７は、透明板保持枠７の下部前面に球皿カバー１６を取り付けるときに、該透明板保持枠７と球皿カバー１６との間で挟むようにして固定する。球皿カバー１６を透明板保持枠７の下部前面に取り付けるには、まず、各係止部材３７の凸部３８を各支持突部３３における取付面３３ａの凹部３６に嵌合させておく。これによって、各係止部材３７が、透明板保持枠７の各係止孔４１にそのまま挿通し得る向きに配置され、かつ、ガタつくことなく保持される。
【００２７】
そして、透明板保持枠７の前面下部における所定位置に球皿カバー１６を配置する。この状態では、各係止部材３７と各係止孔４１とが前後方向で一致することとなり、そのまま球皿カバー１６を透明板保持枠７側へ押すことにより、図７実線に示すように各係止部材３７が各係止孔４１に挿通され、その後側に位置する。この際、支持突部３３に設けられた座部３３ｂ，３３ｂの取付面３３ａと透明板保持枠７の後面とがほぼ面一になるようになっている。これにより、支持突部３３の凹部３６と透明板保持枠７の後面の凹部４２，４２とが同一面内に位置することになり、回動する各係止部材３７の凸部３８が前記いずれの凹部３６，４２にも確実に嵌脱できるようになっている。また、球皿カバー１６を取り付ける際には、前記操作パネル１７も同時に取り付けるようにする。
【００２８】
更に、支持突部３３の凹部３６から凸部３８を外した状態で、図７（イ）（ロ）二点鎖線に示すように係止部材３７を透明板保持枠７の後面に沿って回動させ、凸部３８を透明板保持枠７の後面の凹部４２に嵌合させる。これにより、各係止部材３７が、各係止孔４１に十文字状に交差するように位置して固定され、球皿カバー１６が透明板保持枠７の前面下部にワンタッチ式の操作により取り付けられることになる。係止部材３７の位置は、凸部３８と凹部３６，４２との嵌合によって決められるので、目で見ることなく手探りでもできることになり、パチンコホールといったパチンコ遊技機Ｐが列設される狭い場所でも、透明板保持枠７を大きく開けることなく保守作業ができ至便である。
【００２９】
このように、本発明に係るパチンコ遊技機Ｐでは、透明板保持枠７に開設された係止孔４１に、その前側から係止部材３７を挿通して回動するというワンタッチ式の簡単な操作により、上部球受皿１２の球皿カバー１６が透明板保持枠７の前面に取り付けまたは取り外しできるようになる。よって、上部球受皿１２に組み込まれる演出ボタン２３等の付属部品の保守作業が簡単になり、手間や多くの時間も掛からず、これら保守作業の作業性の向上が図られる。この場合、付属部品には、操作パネル１７を始め該操作パネル１７に備えられる球貸ボタン２７，返却ボタン２８，プリント配線板３０が含まれる。
【００３０】
また、本発明に係るパチンコ遊技機Ｐにあっては、係止部材３７の基端面と支持突部３３の取付面３３ａに設けられた凸部３８と凹部３６が係合した状態では、係止部材３７がしっかりと保持される。そして、球皿カバー１６を透明板保持枠７の前面の取付部位に配置するとき、係止部材３７が係止孔４１と同じ向きを向くことから、該係止部材３７が透明板保持枠７の係止孔４１にそのまま挿通できるようになる。よって、球皿カバー１６の取り付けが容易になるばかりか、透明板保持枠７の前面に球皿カバー１６を取り付ける際に、係止部材３７が透明板保持枠７の前面に当たって該係止部材３７が破損するといった危険性もほとんどない。
【００３１】
本発明にあっては、係止部材３７の基端板３７ｃの外面３７ｄに凸部３８を設け、支持突部３３の取付面３３ａと透明板保持枠７の後面とにそれぞれ凹部３６，４２を設けるようにした。これに対し、逆に、係止部材３７の基端板３７ｃの外面３７ｄに凹部を設け、支持突部３３の取付面３３ａと透明板保持枠７の後面とにそれぞれ凸部を設けるようにしても良い。また、扉体としての透明板保持枠４に上部球受皿１２を取り付けるようにした構成を示したが、扉体は透明板保持枠４に限られるものではない。例えば、他の扉体として、透明板保持枠４の下方に位置し内枠３に設けられた前板５が有る。また、図示は省略するが、内枠３のほぼ前面全体を覆う透明板保持枠が有る。
【図面の簡単な説明】
【００３２】
【図１】本発明に係るパチンコ遊技機の外観斜視図。
【図２】後側から見た透明板保持枠の斜視図。
【図３】球皿カバーと操作パネルを分解して示す前から見た透明板保持枠の斜視図。
【図４】後側から見た球皿カバーの斜視図。
【図５】球皿カバーの平面図。
【図６】底面側から見た係止部材の斜視図。
【図７】（イ）は係止孔に係止部材を挿通した状態の背面図、（ロ）は同側面断面図。
【図８】球皿カバーを取り付け後側から見た透明板保持枠の斜視図。
【符号の説明】
【００３３】
３              内枠
７              扉体（透明板保持枠）
１２            球受皿（上部球受皿）
１５            皿部
１６            球皿カバー
３３            支持突部
３３ａ          取付面
３６            凹部
３７            係止部材
３７ｄ          外面（基端面）
３８            凸部
４２            凹部
Ｐ              パチンコ遊技機
【図１】
0004778973.tif 000002
【図２】
0004778973.tif 000003
【図３】
0004778973.tif 000004
【図４】
0004778973.tif 000005
【図５】
0004778973.tif 000006
【図６】
0004778973.tif 000007
【図７】
0004778973.tif 000008
【図８】
0004778973.tif 000009